(57)【要約】【課題】  各ＬＥＤ素子における光量分布にばらつきがあっても、画像上の縦すじの発生を低減させて、安定したドットを形成することが可能である光書き込み装置、画像形成装置、及びカラー画像形成装置を提供する。【解決手段】  前記ＬＥＤアレイヘッド１は、ＬＥＤアレイ２と、レンズアレイ３と、ＬＥＤアレイ駆動部１０により構成されている。ＬＥＤアレイ２には、ＬＥＤアレイ制御部５が接続されている。ＬＥＤアレイ制御部５には画像データが与えられているとともに、その制御を受け持つラインコントローラ部６が接続されている。これにより、基本的には、外部装置、例えばフレームメモリ、スキャナ等から画像データがコントローラ部６からの主走査ライン同期信号／ＬＳＹＮＣをトリガとして主走査１ライン毎にＬＥＤアレイ制御部５に送出され、ＬＥＤアレイ２上の各ＬＥＤ素子の発光部がその画像データに応じて発光し、その発光光がレンズアレイ３を通して感光体４上に照射結像されることで静電潜像が形成される。【選択図】  図１
2005153361.tif 000002
【特許請求の範囲】
【請求項１】
多数のＬＥＤ素子が主走査方向に一次元アレイ状に配設され、画像データに応じて発光制御されるＬＥＤアレイヘッドを用いて像担持体に画像書き込みを行なう光書き込み手段と、
ＬＥＤアレイヘッドを主走査方向に移動させるＬＥＤアレイヘッド移動手段と、
ＬＥＤアレイヘッド移動量を検知する移動量検知手段とを有することを特徴とする光書き込み装置。
【請求項２】
ＬＥＤアレイヘッドの移動量に応じて、主走査方向の書き込み開始位置を変える書き込み開始位置変更手段を有することを特徴とする請求項１記載の光書き込み装置。
【請求項３】
前記ＬＥＤアレイヘッド移動手段は、ピエゾ素子を用いていることを特徴とする請求項１または請求項２記載の光書き込み装置。
【請求項４】
前記移動量検知手段は、ピエゾ素子の歪により発生する電圧を検知する電圧検知手段を有することを特徴とする請求項１〜３のいずれか１項に記載の光書き込み装置。
【請求項５】
前記移動量検知手段は、ＬＥＤアレイの書き込み範囲外の発光素子を発光させて、受光素子で受光して移動量を検知する第２の移動量検知手段を有することを特徴とする請求項１〜３のいずれか１項に記載の光書き込み装置。
【請求項６】
画像データの解析を行う解析手段と、
前記解析手段で得られた前記画像データのパターンにより、ＬＥＤアレイヘッドを主走査方向に移動させる動作、及び主走査方向の書き込み位置を変える動作を行うかどうかを判定する判定手段とを有することを特徴とする請求項１〜５のいずれか１項に記載の光書き込み装置。
【請求項７】
前記解析手段は、ドットの濃度が一定である、連続した画像領域を判別する連続画像領域判別手段を有し、
更に、前記画像領域の面積がある閾値よりも大きい場合に、
画像領域のラインの書き込み時にＬＥＤアレイヘッドを主走査方向に移動させる第２のＬＥＤアレイ移動手段と、
主走査方向の書込み開始位置を変える第２の書き込み開始位置変更手段とを有することを特徴とする請求項６記載の光書き込み装置。
【請求項８】
請求項１〜７のいずれか１項に記載の光書き込み装置を具備することを特徴とする画像形成装置。
【請求項９】
請求項１〜７のいずれか１項に記載の光書き込み装置を、複数具備することを特徴とするカラー画像形成装置。
【発明の詳細な説明】
【技術分野】
【０００１】
本発明は、ＬＥＤアレイヘッドを用いた光書込み装置、及びその光書き込み装置を用いて画像を形成する画像形成装置、カラー画像形成装置に関する。
【背景技術】
【０００２】
一般に、電子写真法により画像を形成する画像形成装置（プリンタ、デジタル複写機、ファクシミリ装置等）では、光書き込み手段として、レーザ光源とそのレーザ光を偏光走査させるポリゴンミラー等によるレーザ走査光学系を用いる画像形成装置が主流である。
また、近年では、装置全体の小型化、簡易化等を図るために、光書き込み手段として、ＬＥＤアレイとレンズアレイとを組み合わせたＬＥＤアレイヘッドを用いた画像形成装置も注目されている。ＬＥＤアレイは、多数のＬＥＤ素子を１直線上に配設させたものであり、各ＬＥＤ素子を画像データに応じて発光制御することにより、感光体上に対する光書き込みが行われ、静電潜像が形成される。
【０００３】
ここに、ＬＥＤアレイは、多数のＬＥＤ素子に関して、その特性が全て均一となるように製造することは、事実上不可能であり、よって、形成されるドット径も各ＬＥＤ素子によって異なるのが通常である。
特に、１ドット２値（オン・オフ情報のみを有する）記録方式で面積階調法により階調を表現する方式のプリンタでは、ドット径のばらつきが濃度のばらつきとなって現れ、階調表現の画質劣化を引き起こすことになる。また、ＬＥＤアレイプリンタでは、副走査方向には常に同じＬＥＤ素子で画像を形成することになるので、ドット径のばらつきがあると副走査方向に連続することから縦ライン（副走査ライン）画像に縦すじが発生してしまう。縦すじには白く画像が抜ける白すじと隣接ドット間が狭まる（重なる）ことによる黒すじ（従って、他の部分より濃くなるすじ）とがある。
【０００４】
このような問題を解決する従来の技術として、例えば、光量にばらつきのあるＬＥＤヘッドを製品に組み込む際、又はＬＥＤヘッドを交換する際の調整作業を不要にするＬＥＤヘッド及びＬＥＤヘッド光量パラメータ読出し装置に関する発明がある。
この発明によれば、各ＬＥＤ素子の光量を一定にするための補正データを予め求め、ＬＥＤアレイヘッド内に補正データを格納したＲＯＭを備え、印字時にその補正データを用いて各ＬＥＤ素子を点灯させるようにしている。これにより、ＬＥＤヘッドを製品に組み込む際、又はＬＥＤヘッドを交換する際の調整作業が不要になり、生産性及び保守性を良好にすることが可能となっている（特許文献１参照）。
【０００５】
また、例えば、すじむらの発生に起因する画像品質の劣化を低減する画像形成装置に関する発明がある。
この発明によれば、書き込み手段（ＬＥＤヘッド）を書き込み条件に応じて主走査方向に所定量だけ移動させ、その移動量にしたがって画像データをシフトさせている。これにより、画像のすじむらの発生を低減することが可能となっている。
【０００６】
また、例えば、各ＬＥＤ素子における光量分布にばらつきがあっても、画像上の縦筋の発生を軽減させて、安定したドットを形成することが可能な画像形成装置に関する発明がある。
この発明によれば、ＬＥＤアレイ中の連続する複数個のＬＥＤ素子を１つのグループとし、このグループを画像情報の最小単位として画像を形成するようにしたので、１つのＬＥＤ素子のみでは不安定であっても、グループを形成するＬＥＤ素子相互の光量を足して光量分布を主走査方向に広げることでピーク光量を高くすることができ、結果的に、縦筋の発生を軽減し、安定してドットを形成させることが可能である（特許文献３参照）。
【特許文献１】特開平５−５０６５３号公報
【特許文献２】特開２００１−１５６６号公報
【特許文献３】特開平１１−２５４７３７号公報
【発明の開示】
【発明が解決しようとする課題】
【０００７】
しかしながら、ＬＥＤアレイの各ＬＥＤから発光される画像データ対応の書き込み光は、レンズアレイを通して感光体上に照射されて潜像が形成されるので、仮に上記のような手法により各ＬＥＤ素子の光量を一定にしたとしても、レンズアレイの焦点深度のばらつきなどにより、最終的に全てのドットの光量分布を均一化させることは不可能といえる。この結果、最終的な画像上に縦すじ、濃度むらが生じてしまう。
また、或るスレッシュレベルにおけるスポット径を均一化したとしても感光体の電位の落ち込みの少ないドットも生じ、ドット形成が不安定となる。
【０００８】
例えば、特許文献１に示した発明では、１ドット毎に補正を行っても、結像レンズアイの光学的なばらつきは補正できないという問題がある。
また、特許文献２に示した発明では、ＬＥＤヘッドの移動は、１ドット（２０〜６０μｍ）の１／１０の高精度で、移動に要する時間としては、１ラインの感光体への露光周期内で、且つ、非露光時間に行わなければならないので、高速性が要求される。しかしながら、ステッピングモーターやピエゾ素子、或いはその他のアクチエータは、ヒステリシスや移動誤差があり、移動を繰り返すことにより、ヘッド位置がずれてきて画像品質を劣化させるという問題がある。
【０００９】
本発明は上記事情を鑑みてなされたものであり、各ＬＥＤ素子における光量分布にばらつきがあっても、画像上の縦すじの発生を低減させて、安定したドットを形成することが可能である光書き込み装置、画像形成装置、及びカラー画像形成装置を提供することを目的とする。
【課題を解決するための手段】
【００１０】
前記課題を解決するために、請求項１記載の発明は、多数のＬＥＤ素子が主走査方向に一次元アレイ状に配設され、画像データに応じて発光制御されるＬＥＤアレイヘッドを用いて像担持体に画像書き込みを行なう光書き込み手段と、ＬＥＤアレイヘッドを主走査方向に移動させるＬＥＤアレイヘッド移動手段と、ＬＥＤアレイヘッド移動量を検知する移動量検知手段とを有することを特徴とする。
【００１１】
請求項２記載の発明は、ＬＥＤアレイヘッドの移動量に応じて、主走査方向の書き込み開始位置を変える書き込み開始位置変更手段を有することを特徴とする。
【００１２】
請求項３記載の発明は、前記ＬＥＤアレイヘッド移動手段は、ピエゾ素子を用いていることを特徴とする。
【００１３】
請求項４記載の発明は、前記移動量検知手段は、ピエゾ素子の歪により発生する電圧を検知する電圧検知手段を有することを特徴とする。
【００１４】
請求項５記載の発明は、前記移動量検知手段は、ＬＥＤアレイの書き込み範囲外の発光素子を発光させて、受光素子で受光して移動量を検知する第２の移動量検知手段を有することを特徴とする。
【００１５】
請求項６記載の発明は、画像データの解析を行う解析手段と、前記解析手段で得られた前記画像データのパターンにより、ＬＥＤアレイヘッドを主走査方向に移動させる動作、及び主走査方向の書き込み位置を変える動作を行うかどうかを判定する判定手段とを有することを特徴とする。
【００１６】
請求項７記載の発明は、前記解析手段は、ドットの濃度が一定である、連続した画像領域を判別する連続画像領域判別手段を有し、更に、前記画像領域の面積がある閾値よりも大きい場合に、画像領域のラインの書き込み時にＬＥＤアレイヘッドを主走査方向に移動させる第２のＬＥＤアレイ移動手段と、主走査方向の書込み開始位置を変える第２の書き込み開始位置変更手段とを有することを特徴とする。
【００１７】
請求項８記載の発明は、請求項１〜７のいずれか１項に記載の光書き込み装置を具備することを特徴とする。
【００１８】
請求項９記載の発明は、請求項１〜７のいずれか１項に記載の光書き込み装置を、複数具備することを特徴とする。
【発明の効果】
【００１９】
本発明によれば、多数のＬＥＤ素子が主走査方向に一次元アレイ状に配設され、画像データに応じて発光制御されるＬＥＤアレイヘッドを用いて像担持体に画像書き込みを行なう光書き込み手段と、ＬＥＤアレイヘッドを主走査方向に移動させるＬＥＤアレイヘッド移動手段と、ＬＥＤアレイヘッド移動量を検知する移動量検知手段とを有することにより、各ドットの感光体面上での光量、或いはビームスポット径にバラツキがあっても、副走査方向に白、または黒筋の発生を抑止することが可能となる。
【発明を実施するための最良の形態】
【００２０】
近年、電子写真法により画像を形成する画像形成装置（プリンタ、デジタル複写機、ファクシミリ装置等）では、装置全体の小型化、簡易化等を図るために、露光部に、本発明に係る光書き込み手段（光書き込み装置）として、ＬＥＤアレイとレンズアレイとを組み合わせたＬＥＤアレイヘッドを用いたものが、最良の形態である。
【実施例】
【００２１】
次に、添付図面を参照しながら、本発明の実施形態を説明する。
なお、本実施例の光書き込み装置および、画像形成装置は、１ドット多値、および、１ドット２値方式で面積階調法（誤差拡散法など）により階調を表現するＬＥＤアレイプリンタに適用される。
【００２２】
図１は、画像形成装置における光書き込み装置の概略構造を示す図である。
像担持体であるドラム状の感光体４に近接対峙させて、ＬＥＤアレイヘッド１が設けられている。前記ＬＥＤアレイヘッド１は、ＬＥＤアレイ２と、レンズアレイ３と、図１には図示しないＬＥＤアレイ駆動部１０（図２参照）により構成されている。
このようなＬＥＤアレイ２には、ＬＥＤアレイ制御部５が接続されている。ＬＥＤアレイ制御部５には画像データが与えられているとともに、その制御を受け持つラインコントローラ部６が接続されている。これにより、基本的には、外部装置、例えばフレームメモリ、スキャナ等から画像データがコントローラ部６からの主走査ライン同期信号／ＬＳＹＮＣをトリガとして主走査１ライン毎にＬＥＤアレイ制御部５に送出され、ＬＥＤアレイ２上の各ＬＥＤ素子の発光部がその画像データに応じて発光し、その発光光がレンズアレイ３を通して感光体４上に照射結像されることで静電潜像が形成される。
【００２３】
ＬＥＤアレイヘッド１は、アクチエータ７によりヘッド位置制御部８のヘッド位置制御信号に基づいて所定量移動させられる。アクチエータ７ピエゾ素子で構成されるが、パルスモータ、リニアモータでもよい。ＬＥＤアレイヘッド１が所定量移動したとき、ピエゾアクチエータ７からは移動量に比例した電圧がヘッド位置検出信号として出力される。このヘッド位置検出信号をヘッド位置制御部８にフィードバックすることにより、ＬＥＤアレイヘッド１を正確に安定して移動させることが可能である。
また、ヘッドの位置を検出する手段としては、ヘッドに発光素子を取り付け、発光点の移動を、例えば、ＣＣＤ等の受光素子で検出しても良く、発光素子としてＬＥＤアレイのうちのＬＥＤを使うことも可能である。
【００２４】
図２は、光書き込み部の内部構造を示す図である。
また、図３は、ＬＥＤアレイ駆動部の内部構造を示す図である。
図２に示すように、光書き込み部９は、ＬＥＤアレイ駆動部１０、ストローブパルス発生部１１、多値演算部１２、補正データ記憶部１３、ＦＩＦＯメモリ１４等を主体に構成されている。また、図３に示すように、ＬＥＤアレイ駆動部１０は、シフトレジスタ１５、ラッチ１６、ゲート１７、ＬＥＤドライバ１８、ＬＥＤアレイ２を含み構成されている。
シフトレジスタ１５は、クロック信号ＣＬＯＣＫによって１ドット多値の画像データをドット１から順番に入力し、内部ではその各ドットデータを各レジスタに送るように動作する。Ｌ個分の全てのドットデータが送られると、ラッチ１６がそのデータをラッチし、ストローブパルスＳＴＢがＡＮＤゲート１７に入力されると、画像データ対応する素子がデータの値に従ったゲインでＬＥＤドライバ１８によってストローブパルスＳＴＢの幅だけ点灯する。
【００２５】
このようなＬＥＤアレイ駆動部１０に対しては、ストローブパルス発生部１１が接続されている。ストローブパルス発生部１１は、例えばカウンタ、コンパレータ等により構成されており、ＳＴＢなるストローブパルスを発生する。これらのストローブパルスＳＴＢのパルス幅は外部から設定可能であり、パルス幅の変更によりＬＥＤ素子の発光光量を時間的に制御することが可能である。
また、ＬＥＤアレイ駆動部１０に対しては、別系統として多値演算部１２が接続されている。多値演算部１２は、例えば乗算器により構成されており、８ビットのデータｂ０〜ｂ７と補正データ記憶部１３に格納されたＬＥＤ発光素子の光量を一定にするための補正係数乗算を行い、ＬＥＤアレイ駆動部のシフトレジスタ１５へ出力する。前記多値演算部１２の入力側には、１ドット多値の画像データを１ライン分取り込むためにＦＩＦＯメモリ１４（ＦＩＦＯ：First-In First-Out）と、記憶部である補正データ記憶部１３とが並列的に接続されている。この補正データ記憶部１３は、例えば、ＥＰＲＯＭ構成のもので、かくＬＥＤ素子の発光光量を一定とするための補正データが記憶されている。この補正データ記憶部１３には、ＬＥＤ素子に対応する補正データを補正データ記憶部１３中から読み出して多値演算部１２に出力させる補正データ読出手段の機能を備えている。また、多値演算部１３、及びＬＥＤアレイ駆動部１０が読み出された補正データを用いてＬＥＤアレイ２の各ＬＥＤ素子の点灯動作を制御する駆動制御手段としての機能を果たす。
【００２６】
図４は、ＬＥＤアレイヘッドに書きこみ動作を行うタイミングチャートである。
本図の（ａ）は通常動作の場合のタイミングチャートであり、主走査ライン同期信号／ＬＳＹＮＣのアサート後画像データが、ＣＬＯＣＫに同期してＦＩＦＯメモリ１４を通じてシフトレジスタ１５に入力される。１ライン分のデータ（Ｌ個）が入力されたらＬＯＡＤ信号をアサートすると、データがラッチ１６よりラッチされ、ストローブ信号が所定の時間アサートされてＬＥＤ１がストロ−ブの信号のアサート時間だけ発光する。
本図の（ｂ）はＬＥＤアレイヘッドを１ドット分移動させたときのタイミングチャートである。主走査ライン同黄信号／ＬＳＹＮＣのアサート後、１クロック遅れてデータを送出する。以後の動作は、本図の（ａ）で示した通常動作の場合と同様であるので、説明を省略する。
【００２７】
図５は、画像形成装置における画像処理部及び画像解析部の内部構造を示す図である。
原稿としての画像はＣＣＤ２０で読み込まれ、Ａ／ＤＣ２１にてデジタルデータに変換された後、シェーディング補正部２２、γ補正部２３にて画像補正を施し、その後、バッファメモリ２４に格納される。また、ＰＣやその他のデジタル画像機器（デジタルカメラ等）から送信される画像データは、ＰＣインターフェース１９（例えば、ＰＣ−プリンタ間専用インターフェース、或いはＵＳＢインターフェース等）を介して、直接バッファメモリ２４に書き込まれる。
バッファメモリ２４に書き込まれた画像データは、画像解析部２５で解析され、所定の条件でヘッド位置制御部８へヘッド位置制御信号を出力し、ＬＥＤアレイヘッド１を所定量移動させる。
【００２８】
画像解析の一例として、画像データの解析におけるＬＥＤアレイヘッドの動作を図６、図７に基づいて説明する。
図６は、画像データの等濃度判定の計算をモデル化した図である。
また、図７は、等濃度判定の計算からＬＥＤアレイヘッドの動作に至るまでの流れを示すフローチャートである。
先ず、画像データのｊラインｉカラム目のドット（「（ｊ，ｉ）ドット」と呼ぶ）の濃度をＰ（ｊ）（ｉ）とする。（ｊ，ｉ）ドットに隣接するドット（各々、「基準ドット」、「隣接ドット」と呼ぶ）の濃度データに、図６に示す係数を乗じて、その和Ｄ（ｊ，ｉ）を式（１）のように計算する（図７−ステップＳ３）。
図６では、（ｊ，ｉ）＝（２，２）の場合における基準ドットと、基準ドットに隣接する隣接ドットの係数の値を示していて、基準ドットの係数は８であり、隣接ドットの係数は各々−１である。
【００２９】
【数１】
2005153361.tif 000003
【００３０】
式（１）は、基準ドットと隣接ドットが、互いに等濃度であるか否かを判定する等濃度判定の式である。
式（１）の演算を、Ｌライン、Ｎカラムの各ドット、つまり１ページの画像についてＤ（ｊ，ｉ）を計算する（図７−ステップＳ１〜Ｓ７）。
ここで、Ｄ（ｊ，ｉ）＝０は、ドット（ｊ，ｉ）の縦横の隣接ドットの濃度が、ドット（ｊ，ｉ）の濃度Ｐ（ｊ，ｉ）に等しいことを示している。しかしながら、厳密に言えば、等しくなくても０になり得るが、０が連続している領域を求めるので、結果的には前記のことが言える。
次に、Ｄ（ｊ，ｉ）＝０の連続した領域Ａｒ（ｎ）（ｎ＝１，２，・・・）を抽出する（ステップＳ８）。領域Ａｒ（ｎ）がある一定のライン数（Ｌ１）以上であり、かつ、その領域の画像データの濃度Ｐがある値Ｐｍ以上の場合、領域Ａｒ（ｎ）を画像形成する際にライン毎、あるいは、数ライン毎にＬＥＤアレイヘッド１を移動させるようにヘッド位置制御部からヘッド位置制御信号を出力する。
【００３１】
図８は、光書き込み装置を具備する画像形成装置の概略構成を示す図である。
露光ユニット２７にＬＥＤ（光書き込み部）を用いて、画像データに応じた発光制御を行うことにより、感光体４上に静電潜像が形成され、現像ユニット２８でトナーを付着させ、転写ユニット２９で用紙上に転写し、定着ユニット３０で用紙に転写されたトナーを熱定着させる。
本図では、露光ユニットが１つであり、所謂、モノクロ印刷に対応した画像形成装置の例を示しているが、露光ユニット２７を、シアン、マゼンタ、イエロー、・・・、の各色専用の露光ユニットを配置、構成することにより、カラー印刷に対応した画像形成装置を構築することも可能である。
【００３２】
上記に示した実施形態は、本発明の好適な実施の一例である。しかしながら、本発明の実施形態はこれらに限定されるものではなく、本発明の要旨を逸脱しない範囲内で、様々な変形実施が可能である。
【００３３】
（効果）
以上の説明から明らかなように、多数のＬＥＤ素子が主走査方向に一次元アレイ状に配設され、画像データに応じて発光制御されるＬＥＤアレイヘッドを用いて像担持体に画像書き込みを行なう光書き込み手段と、ＬＥＤアレイヘッドを主走査方向に移動させるＬＥＤアレイヘッド移動手段と、ＬＥＤアレイヘッド移動量を検知する移動量検知手段とを有することにより、各ドットの感光体面上での光量、或いはビームスポット径にバラツキがあっても、副走査方向に白、または黒筋の発生を抑止することが可能となる。
【００３４】
また、ＬＥＤアレイヘッドの移動量に応じて、主走査方向の書き込み開始位置を変える書き込み開始位置変更手段を有することにより、白、または黒筋の発生を押さえると共に、主走査方向にずれの無い、高品質な光書き込みを行うことが可能となる。
【００３５】
また、前記ＬＥＤアレイヘッド移動手段は、ピエゾ素子を用いていることにより、迅速に、かつ、精度良くＬＥＤアレイヘッドを移動させることが可能となる。
【００３６】
また、前記移動量検知手段は、ピエゾ素子の歪により発生する電圧を検知する電圧検知手段を有することにより、特別なセンサを使用することなく、ＬＥＤアレイヘッドの移動量を正確に検知することが可能となる。
【００３７】
また、前記移動量検知手段は、ＬＥＤアレイの書き込み範囲外の発光素子を発光させて、受光素子で受光して移動量を検知する第２の移動量検知手段を有することにより、特別な発光素子を使用することなく、ＬＥＤアレイヘッドの移動量を正確に検知することが可能となる。
【００３８】
また、画像データの解析を行う解析手段と、前記解析手段で得られた前記画像データのパターンにより、ＬＥＤアレイヘッドを主走査方向に移動させる動作、及び主走査方向の書き込み位置を変える動作を行うかどうかを判定する判定手段とを有することにより、最小限の補正動作で、効果的に光書き込みを行うことが可能となる。
【００３９】
また、前記解析手段は、ドットの濃度が一定である、連続した画像領域を判別する連続画像領域判別手段を有し、更に、前記画像領域の面積がある閾値よりも大きい場合に、画像領域のラインの書き込み時にＬＥＤアレイヘッドを主走査方向に移動させる第２のＬＥＤアレイ移動手段と、主走査方向の書込み開始位置を変える第２の書き込み開始位置変更手段とを有することにより、補正動作をより効果的に行うことが可能となる。
【００４０】
また、請求項１〜７のいずれか１項に記載の光書き込み装置を具備することにより、縦すじ等の少ない高品質な画像形成を行うことが可能となる。
【００４１】
また、請求項１〜７のいずれか１項に記載の光書き込み装置を、複数具備することにより、縦すじ、および、色むらの少ない高品質カラー画像形成を行うことが可能となる。
【産業上の利用可能性】
【００４２】
本発明は、ＬＥＤアレイヘッドを用いた光書込み装置、及びその光書き込み装置を用いて画像を形成する画像形成装置、カラー画像形成装置に関する発明であり、より具体的には、プリンタ、デジタル複写機、ファクシミリ装置などに応用することが可能である。
例えば、個人ユーザ、或いは中小企業、個人事業主向けに、小型化、簡易化を図ることにより、省スペースで、且つ廉価な画像形成装置を提供することも可能である。
【図面の簡単な説明】
【００４３】
【図１】光書き込み装置の概略構造を示す図である。
【図２】光書き込み部の内部構造を示す図である。
【図３】ＬＥＤアレイ駆動部の内部構造を示す図である。
【図４】ＬＥＤアレイヘッドに書きこみ動作を行うタイミングチャートである。
【図５】画像形成装置における画像処理部及び画像解析部の内部構造を示す図である。
【図６】画像データの等濃度判定の計算をモデル化した図である。
【図７】等濃度判定の計算からＬＥＤアレイヘッドの動作に至るまでの流れを示すフローチャートである。
【図８】光書き込み装置を具備する画像形成装置の概略構成を示す図である。
【符号の説明】
【００４４】
１    ＬＥＤアレイヘッド
２    ＬＥＤアレイ
３    レンズアレイ
４    感光体
５    ＬＥＤアレイ制御部
６    ラインコントローラ部
７    アクチエータ
８    ヘッド位置制御部
９    光書き込み部
１０    ＬＥＤアレイ駆動部
１１    ストローブパルス発生部
１２    多値演算部
１３    補正データ記憶部
１４    ＦＩＦＯメモリ
１５    シフトレジスタ
１６    ラッチ
１７    ゲート
１８    ＬＥＤドライバ
１９    ＰＣインターフェース
２０    ＣＣＤ（光電変換器）
２１    Ａ／ＤＣ（アナログ・デジタル変換器）
２２    シェーディング補正部
２３    γ補正部
２４    バッファメモリ
２５    画像解析部
２６    帯電ユニット
２７    露光ユニット
２８    現像ユニット
２９    転写ユニット
３０    定着ユニット
３１    クリーナユニット
３２    除電ユニット
【図１】
2005153361.tif 000004
【図２】
2005153361.tif 000005
【図３】
2005153361.tif 000006
【図４】
2005153361.tif 000007
【図５】
2005153361.tif 000008
【図６】
2005153361.tif 000009
【図７】
2005153361.tif 000010
【図８】
2005153361.tif 000011